(57)【要約】【課題】小手を形成する小手頭において、刺繍を施して飾りを付けることに加えて、打突されたときに効率良く緩衝できるような構造の小手を提供する。【解決手段】小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記小手頭の前方位置に設け、内部に充填されている材料の型ずれを防止し且つ飾りとしての機能を持たせる飾り部を、間欠状態にして施すことである。【選択図】      図４
0003158096.tif 000002
【実用新案登録請求の範囲】
【請求項１】
挿入された手の指部分と掌を保護する小手頭と手の内からなるころも部と、
前記小手頭に連設して逢着され、手の甲の部分を保護する下部側を開放とした筒部と、
前記筒部に連設して逢着され、手首から前腕部分を保護するための下部側を開放とし該開放した部位を小手紐で結ぶようにした小手筒と、
からなり、
前記小手頭の前方位置に設け、内部に充填されている材料の型ずれを防止し且つ飾りとしての機能を持たせる飾り部を、間欠状態にして施すことを特徴とする小手。
【請求項２】
前記飾り部は、上下２つの飾り部のそれぞれを間欠状態に施したことを特徴とする請求項１に記載の小手。
【考案の詳細な説明】
【技術分野】
【０００１】
本考案は、小手に関し、詳しくは、剣道用の小手（甲手）であって、手首上部の甲の部分の曲がり具合に添った形状で且つ手首の部位の肉厚を最大限薄く形成した小手に対して小手頭に施してある飾り部分を間欠状態にすることで打突の緩衝を幾分でも和らげると共に刺繍に伴う材料費を削減する工夫を施した小手に関する。
【背景技術】
【０００２】
従来の小手は、図６及び図７に示すように、手の４指が収納されると共に親指が分かれて収納される手袋状に形成され、手の指部分と掌を保護するころも部１１と、このころも部１１と縫着され、一定の肉厚帯状に形成されたけら１２と、このけら１２に連設され手首の周囲を覆う筒部１３と、この筒部１３に連設され前腕を覆う小手筒１４とから構成されている。
【０００３】
ころも部１１は、手が挿入される小手頭１５と手の内１６とからなり、小手頭１５はその表面が牛革又は鹿革で覆われていると共に、内部には鹿毛、羊毛などの獣毛、又はフェルトなどの緩衝材が充填されている。手の内１６は、牛革又は鹿革が張設されて形成されている。
【０００４】
筒部１３は、けら１２の後端部に一体的に逢着されており、手首の周囲或は手の甲部分を保護する適宜長さを有し、下部側を開放とし、その内部には緩衝材が充填されて肉厚に形成されている。
そして、筒部１３の表面側には手を差し込む方向で一定の長さで刺繍を施した刺繍部２１を所定間隔を持って平行に複数配置した構成となっている。
【０００５】
小手筒１４は、筒部１３の後端部に一体的に逢着されており、前腕を覆う適宜長さを有し、下部側を開放としこの開放した部位を小手紐１７で結ぶようにした構成になっており、その内部には毛布、綿、又はグラスファイバーなどの緩衝材が収納されて肉厚に形成され、外側を木綿で包んで刺し子１８が施されている。
【０００６】
小手頭１５の表面には、略中央位置で横方向に一直線になるように刺繍が施された手飾り部２２を設け、この手飾り部２２の上部位置であって手飾り部２２と直交する方向に複数の刺繍を施した３つの飾りである上部飾り部２３を備え、やはり手飾り部２２の下部位置であって手飾り部２２と直交する方向に２つの飾りである下部飾り部２４を備え、更に、下部飾り部２４の下部位置であって手飾り部２２と同一方向に飾りを施した端部飾り部２５を備えた構成となっている。
【０００７】
このように形成された小手においては、特に小手頭１５に施した刺繍である手飾り部２２を備えた構成にすることで小手頭１５を構成する内部の部材を手飾り部２２でずれないようにできると共に、手飾り部２２と共に上部飾り部２３及び下部飾り部２４並びに端部飾り部２５を施すことで、外観上の見立てをよくすることができることに加えて打突されたときの緩衝部材としての機能も発揮する。
【先行技術文献】
【特許文献】
【０００８】
【特許文献１】特開２００７−１４３８４０号公報
【考案の概要】
【考案が解決しようとする課題】
【０００９】
しかしながら、従来技術で説明した小手においては、特に、小手頭に設けた刺繍で形成した飾りである手飾り部、及び端部飾り部においては打突部位全体に亘って刺繍を施した構成になっているために、下部飾り部及び端部飾り部を打突されると、直接に打突の応力が伝達され、その伝達された応力が内部の手の指部分に直接到達して所謂痛さを感じるという問題がある。
【００１０】
従って、小手を形成する小手頭において、刺繍を施して飾りを付けることに加えて、打突されたときに効率良く緩衝できるような構造に解決しなければならない課題を有する。
【課題を解決するための手段】
【００１１】
上記課題を解決するために、本考案に係る小手は、次に示す構成にすることである。
【００１２】
（１）小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記小手頭の前方位置に設け、内部に充填されている材料の型ずれを防止し且つ飾りとしての機能を持たせる飾り部を、間欠状態にして施すことである。
（２）前記飾り部は、上下２つの飾り部のそれぞれを間欠状態に施したことを特徴とする（１）に記載の小手。
【考案の効果】
【００１３】
以上、説明したように、本考案に係る小手は、小手頭の表面に施す飾り部分を間欠状態にして施すことで小手頭を構成する内部の部材の型くずれを防止できると共に外観上の見立てを良くすることに加えて間欠した部位が打突されたときの緩衝部材として機能するという効果がある。
【図面の簡単な説明】
【００１４】
【図１】本願考案に係る右小手の斜視図である。
【図２】同、反対側からみた右小手の斜視図である。
【図３】同、平面からみた右小手の斜視図である。
【図４】同、正面からみた右小手の斜視図である。
【図５】同、正面からみた右小手の斜視図である。
【図６】従来技術における左小手の斜視図である。
【図７】従来技術における正面からみた左小手の斜視図である。
【考案を実施するための形態】
【００１５】
次に、本考案に係る小手の実施形態について、図面を参照して説明する。
【００１６】
本考案に係る小手は、従来で説明した小手と同様の形状をしているが、小手頭に設けた飾り部を間欠状態にして内部に充填されている材料を適度に型ずれしないようにし且つ打突されたときの緩衝効果を図る構造とした点で従来技術の小手と相違するものである。
その構造は、図１乃至図５に示すように、手の４指が収納されると共に親指が分かれて収納される手袋状に形成され、手の指部分と掌を保護するころも部１１と、このころも部１１と縫着され、一定の肉厚帯状に形成されたけら１２と、このけら１２に連設され手首の周囲を覆う筒部１３と、この筒部１３に連設され前腕を覆う小手筒１４とから構成されている。
【００１７】
ころも部１１は、手が挿入される小手頭１５と手の内１６とからなり、小手頭１５はその表面が牛革又は鹿革で覆われていると共に、内部には鹿毛、羊毛などの獣毛、又はフェルトなどの緩衝材が充填されている。手の内１６は、牛革又は鹿革が張設されて形成されている。
【００１８】
筒部１３は、けら１２の後端部に一体的に逢着されており、手首の周囲或は手の甲部分を保護する適宜長さを有し、下部側を開放とし、その内部には緩衝材が充填されて肉厚に形成されている。
そして、筒部１３の表面側には手を差し込む方向で一定の長さで刺繍を施した刺繍部２１を所定間隔を持って平行に複数配置した構成となっている。
【００１９】
小手筒１４は、筒部１３の後端部に一体的に逢着されており、前腕を覆う適宜長さを有し、下部側を開放としこの開放した部位を小手紐１７で結ぶようにした構成になっており、その内部には毛布、綿、又はグラスファイバーなどの緩衝材が収納されて肉厚に形成され、外側を木綿で包んで刺し子１８が施されている。
【００２０】
小手頭１５の表面には、略中央位置に横方向の一直線上に間欠状態で刺繍が施された第１手飾り部２２ａ及び第２手飾り部２２ｂを設け、この第１手飾り部２２ａ及び第２手飾り部２２ｂの上部位置であって第１手飾り部２２ａ及び第２手飾り部２２ｂと直交する方向に１つの点状の刺繍を施した上部飾り部２３を備え、やはり第１手飾り部２２ａ及び第２手飾り部２２ｂの下部位置であって第１手飾り部２２ａ及び第２手飾り部２２ｂと直交する方向に点状の１つの飾りである下部飾り部２４を備え、更に、下部飾り部２４の下部位置であって第１手飾り部２２ａ及び第２手飾り部２２ｂと同一方向に間欠状態で飾りを施した第１端部飾り部２５ａ及び第２端部飾り部２５ｂを備えた構成となっている。
【００２１】
第１手飾り部２２ａは、図４及び図５において、小手頭１５の上部位置で左位置側に設けたもので、表面においては飾りとして機能すると共に左側に位置する充填された材料が型ずれしないようにする。
【００２２】
第２手飾り部２２ｂは、第１手飾り部２２ａと同様に、図４お呼び図５において、小手頭１５の上部位置で右位置側に設けたもので、表面においては飾りとして機能すると共に右側に位置する充填された材料が型ずれしないようにする。
【００２３】
上部飾り部２３は、点状の飾りであって、第１手飾り部２２ａと第２手飾り部２２ｂとの間の上部に合計して５〜６個の点状の飾りを施すと共に内部に充填された材料が型くずれしないようにするものである。
【００２４】
下部飾り部２４は、点状の飾りであって、第１手飾り部２２ａと第２手飾り部２２ｂとの間の下部に合計して３〜５個の点状の飾りを施すと共に内部に充填された材料が型くずれしないようにするものである。
【００２５】
第１端部飾り部２５ａは、図４及び図５において、小手頭１５の下部位置で左位置側に設けたもので、第１手飾り部２２ａと連なるようにし、表面においては飾りとして機能すると共に左側に位置する充填された材料が型ずれしないようにする。
【００２６】
第２端部飾り部２５ｂは、第１端部飾り部２４ａと同様に、図４及び図５において、小手頭１５の下部位置で左位置側に設けたもので、第２手飾り部２２ｂと連なるようにし、表面においては飾りとして機能すると共に右側に位置する充填された材料が型ずれしないようにする。
【００２７】
このように小手頭１５に設けた様々な飾りにおいては、外観上の飾りとしての機能を備えるばかりではなく、縦方向の型ずれには上部飾り部２３及び下部飾り部２４により型ずれを防止し、横方向の型ずれには第１手飾り部２２ａ、第２手飾り部２２ｂ及び第１端部飾り部２５ａ、第２端部飾り部２５ｂにより型ずれを防止する。また、手飾り部を間欠状態の第１手飾り部２２ａと第２手飾り部２２ｂにすることで充填されている緩衝部材の留め具合が間欠になり、その分留めていない部位における緩衝状態が厚みを備えることができ、打突されたときにその厚みがある分だけでも打突による応力を緩衝させることができる。
端部飾り部においても同様に間欠状態の第１端部飾り部２５ａと第２端部飾り部２５ｂにすることで充填されている緩衝部材の留め具合が間欠になり、その分留めていない部位における緩衝状態が厚みを備えることができ、第１手飾り部２２ａ、第２手飾り部２２ｂと協働して打突による応力を緩衝させることができるのである。
【産業上の利用可能性】
【００２８】
小手頭の表面に施す飾り部分を間欠状態にして施すことで小手頭を構成する充填されている部材の型くずれを防止できると共に外観上の見立てを良くすることに加えて間欠した部位が打突されたときの緩衝部材として機能する小手を提供する。
【符号の説明】
【００２９】
１１      ころも部
１２      けら
１３      筒部
１４      小手筒
１５      小手頭
１６      手の内
１７      小手紐
１８      刺し子
２１      刺繍部
２２ａ    第１手飾り部
２２ｂ    第２手飾り部
２３      上部飾り部
２４      下部飾り部
２５ａ    第１端部飾り部
２５ｂ    第２端部飾り部
【図１】
0003158096.tif 000003
【図２】
0003158096.tif 000004
【図３】
0003158096.tif 000005
【図４】
0003158096.tif 000006
【図５】
0003158096.tif 000007
【図６】
0003158096.tif 000008
【図７】
0003158096.tif 000009
【手続補正書】
【提出日】平成22年1月13日(2010.1.13)
【手続補正１】
【補正対象書類名】実用新案登録請求の範囲
【補正対象項目名】全文
【補正方法】変更
【補正の内容】
【実用新案登録請求の範囲】
【請求項１】
挿入された手の指部分と掌を保護する小手頭と手の内からなるころも部と、
前記小手頭に連設して逢着され、手の甲の部分を保護する下部側を開放とした筒部と、
前記筒部に連設して逢着され、手首から前腕部分を保護するための下部側を開放とし該開放した部位を小手紐で結ぶようにした小手筒と、
からなり、
前記小手頭の前方位置に設け、内部に充填されている材料の型ずれを防止し且つ飾りとしての機能を持たせる飾り部は、離間して配置したことを特徴とする小手。
【請求項２】
前記飾り部は、前記小手頭の先端側と後端側の２箇所に設け、該２箇所に設けたそれぞれの飾り部は、離間して配置したことを特徴とする請求項１に記載の小手。
【手続補正２】
【補正対象書類名】明細書
【補正対象項目名】００１２
【補正方法】変更
【補正の内容】
【００１２】
（１）小手は、挿入された手の指部分と掌を保護する小手頭と手の内からなるころも部と、前記小手頭に連設して逢着され、手の甲の部分を保護する下部側を開放とした筒部と、前記筒部に連設して逢着され、手首から前腕部分を保護するための下部側を開放とし該開放した部位を小手紐で結ぶようにした小手筒と、からなり、前記小手頭の前方位置に設け、内部に充填されている材料の型ずれを防止し且つ飾りとしての機能を持たせる飾り部は、離間して配置したことである。
（２）前記飾り部は、前記小手頭の先端側と後端側の２箇所に設け、該２箇所に設けたそれぞれの飾り部は、離間して配置したことを特徴とする（１）に記載の小手。
【手続補正３】
【補正対象書類名】明細書
【補正対象項目名】００２０
【補正方法】変更
【補正の内容】
【００２０】
小手頭１５の表面には、略中央位置の後端側であって横方向の一直線上に離間して配置されている刺繍が施された第１手飾り部２２ａ及び第２手飾り部２２ｂを設け、この第１手飾り部２２ａ及び第２手飾り部２２ｂの上部位置であって第１手飾り部２２ａ及び第２手飾り部２２ｂと直交する方向に１つの点状の刺繍を施した上部飾り部２３を備え、やはり第１手飾り部２２ａ及び第２手飾り部２２ｂの下部位置であって第１手飾り部２２ａ及び第２手飾り部２２ｂと直交する方向に点状の１つの飾りである下部飾り部２４を備え、更に、下部飾り部２４の下部位置の先端側であって第１手飾り部２２ａ及び第２手飾り部２２ｂと同一方向に離間して配置されている飾りを施した第１端部飾り部２５ａ及び第２端部飾り部２５ｂを備えた構成となっている。